(57)【特許請求の範囲】
【請求項１】
ＵＶランプと、
浴水を遮断して前記ＵＶランプを保護する保護管と、
浴水の流入口と流出口を有し、前記保護管に収納された前記ＵＶランプにより浴水を殺菌するための殺菌ユニットと、
前記ＵＶランプの制御回路を収納する回路体と、
該回路体の底面部に設けた前記ＵＶランプを固定するための下部取付体とからなるランプベースと、
該ランプベースの回路体を収納可能にする回路体収納ケースを一体的に設けた前記保護管を装着するための保護管ベースと、
前記ランプベースの回路体を前記保護管ベースの回路体収納ケースに収納すると共に、前記ランプベースの下部取付体に固定された前記ＵＶランプを前記保護管に収納して一体化して前記殺菌ユニットに装着されるランプベース付き保護管ベースと、
前記ランプベースの回路体の周縁に設けた湿度センサーと、
前記保護管と前記ランプベースの回路体底面部に設けた下部取付体との間に形成される隙間と前記湿度センサーが取付けられた前記ランプベースの回路体の周縁部とが連通状態としてなることを特徴とする浴水循環装置における水用紫外線殺菌装置。
【請求項２】
請求項１において、前記保護管と前記ランプベースの回路体底面部に設けた下部取付体との間に形成される隙間と、
前記ランプベースの回路体を前記保護管ベースの回路体収納ケースに収納して形成される前記回路体の底面部と前記回路体収納ケースの底部と間の隙間と、
前記湿度センサーが取り付けられた前記ランプベースの回路体の周縁部と前記保護管ベースの回路体収納ケースとの間に形成される微小隙間と、
前記隙間及び微小隙間とが連通状態としてなることを特徴とする浴水循環装置における水用紫外線殺菌装置。
【発明の詳細な説明】
【０００１】
【産業上の利用分野】
本発明は、２４時間風呂等の浴水循環装置内の水用紫外線殺菌装置のＵＶランプの保護管が割れた場合に早期に湿度センサーが動作するようにして安全性を高めるようにする浴水循環装置における水用紫外線殺菌装置に関する。
【０００２】
【従来の技術】
従来の浴水循環装置の水用紫外線殺菌装置のＵＶランプの保護管が破損した場合にも、湿度センサーが設けられていた。該湿度センサーは、ベースとハウジングとの略密閉した箇所に備えられていた。具体的には、ＵＶランプ上部の大きな皿状の開放空間に湿度センセー（又は割れ検知センサー）が設けられていた。この場合、湿度センサーが水を確実に検知するには皿の部分が水で一杯になり、湿度センサーが水没する必要がある。
【０００３】
【発明が解決しようとする課題】
そのＵＶランプを保護している保護管が割れた等の場合、その割れた箇所の水が浸透して、その湿度増加によって湿度センサーが動作しているが、割れたときの水に浸されるようにすると、保護管が割れた時間と、湿度センサーが動作する時間とにタイムラグが生じ、保護管が割れたときのガラス片の浴槽への流出のおそれがあったり、或いは感電するおそれもあり、このように安全性の点で問題視されていた。
【０００４】
そこで発明者は、前記課題を解決することを目的とし、鋭意，研究を重ねた結果、その請求項１の発明を、ＵＶランプと、浴水を遮断して前記ＵＶランプを保護する保護管と、浴水の流入口と流出口を有し、前記保護管に収納された前記ＵＶランプにより浴水を殺菌するための殺菌ユニットと、前記ＵＶランプの制御回路を収納する回路体と、該回路体の底面部に設けた前記ＵＶランプを固定するための下部取付体とからなるランプベースと、該ランプベースの回路体を収納可能にする回路体収納ケースを一体的に設けた前記保護管を装着するための保護管ベースと、前記ランプベースの回路体を前記保護管ベースの回路体収納ケースに収納すると共に、前記ランプベースの下部取付体に固定された前記ＵＶランプを前記保護管に収納して一体化して前記殺菌ユニットに装着されるランプベース付き保護管ベースと、前記ランプベースの回路体の周縁に設けた湿度センサーと、前記保護管と前記ランプベースの回路体底面部に設けた下部取付体との間に形成される隙間と前記湿度センサーが取付けられた前記ランプベースの回路体の周縁部とが連通状態としてなることを特徴とする浴水循環装置における水用紫外線殺菌装置としたことにより、保護管が割れた場合に、ポンプ圧によって吹き出してきた水を瞬時に検知し、早期に湿度センサーが動作するようにし、保護管が割れたときのガラス片の浴槽への流出のおそれや感電をなくし、安全性を高めることができ、前記課題を解決したものである。
【０００５】
【実施の形態】
まず、本発明の実施の形態について図面に基づいて説明すると、浴水循環装置は、浴水を循環させる循環ポンプＰと、浴水を清浄化する浄化フィルタ１と、浴水を加熱するヒータ２と、浴水を殺菌する紫外線殺菌装置Ａにて基本的に構成されている。該紫外線殺菌装置Ａは、図１のように、上部側に浴水の流入口３ａと下部側に流出口３ｂとを有する殺菌ユニット３と、該殺菌ユニット３の内部に収納されるＵＶランプ４と、該ＵＶランプ４を保護するための保護管５と、前記ＵＶランプ４及び保護管５はそれぞれの上端が固定された，前記殺菌ユニット３の上部に設けた回路体収納ケース６とで構成されている。該回路体収納ケース６には、前記ＵＶランプ４の点灯を制御する制御回路なるインバータ回路を備えたランプベース７の回路体７ａが収納可能に構成されている。
【０００６】
前記ＵＶランプ４の上端には、図２乃至図４に示すように、ランプベース７の下部取付体７ｂが設けられている。また、前記保護管５の上端を抱持する保護管ベース８が前記殺菌ユニット３の上部で且つ回路体収納ケース６の下部箇所に取付けられている。その保護管５と前記ランプベース７の下部取付体７ｂとの間は適宜の隙間９が生ずるように構成されている。さらに、前記回路体７ａの底部面には、板片状の突部７ａ1 が放射状に複数設けられ（図３では３箇所等分）、そのランプベース７の回路体７ａを、前記回路体収納ケース６に挿入したときに、その突部７ａ1 の存在ゆえに、その回路体７ａの底部面と前記回路体収納ケース６の底部との間に隙間１０が形成され、該隙間１０は前記隙間９に連通するように構成されている。
【０００７】
前記隙間１０を形成するために、図示しないが、単なる突起状の突部７ａ1 として形成することもあり、その回路体７ａの底部面と前記回路体収納ケース６の底部との間に隙間１０が形成されるならば、実施の態様に限定されない。また、その回路体７ａの側面には、湿度センサー１２が縦形タイプとして設けられている。この場合にも、回路体７ａの側面と前記回路体収納ケース６の側面とは極めて少ないが微小隙間１１が設けられている。この微小隙間１１も前記隙間１０に連通している。
【０００８】
前記ランプベース７の回路体７ａの外皮ケースは、図３及び図４に示すように、略円形に形成され、この円形部の一部カットした箇所に前記湿度センサー１２が設けられ、内部は凹み状部が形成されるが、ここに一部をカットしたインバータ基板を収納されている。これによって、前記ランプベース７の回路体７ａは出っ張りのない部位にでき、メンテナンスの際の着脱作業が良好にできる。
【０００９】
また、図４（Ａ）及び（Ｃ）に示すように、前記回路体７ａ箇所におけるコネクタ１３の各接触子間においてリブが設けられて区分されている。また、コネクタ１３の側面に筒状のコネクタパッキンが嵌められ、インバータ蓋の突起部で押しつけ、水がコネクタ側面を経由してインバータ回路部へ浸入するのを防止するように構成されている。これによって、一般ユーザーがメンテナンス時に、うっかり紫外線殺菌装置Ａに水をかけても、逆さまにして接触子部の水を出しさえすれば（接触子の緑青対策）多少接触子部に水分が残っていても隣の接触子との間でリーク電流が流れず、又、この水分もインバーター回路の熱で乾燥してしまい問題はなくなる。そして、コネクタ側面にコネクタパッキンをつけてインバータ蓋の突起部で押えているので、インバータ回路内に水が入らず動作に支障は生じないものである。
【００１０】
【作用】
何らかの原因にて保護管５が割れて、ひび等が入った場合には、その保護管５箇所から浴水が浸入する。すると、浴水は、前記保護管５と前記ランプベース７の下部取付体７ｂとの隙間９，１０及び微小隙間１１を介して湿度センサー１２に達し、直ぐに湿度センサー１２をＯＮさせ、前記循環ポンプＰの駆動を停止させるものである。
【００１１】
【発明の効果】
請求項１に係る発明においては、第１に湿度センサー１２の検知速度が飛躍的に向上し、保護管５を構成するガラス片が浴槽２０内に流出するおそれを確実に防止することができるし、第２に感電しにくくできるし、第３に構成が簡単で且つ故障の危険もないものを提供できる利点がある。
【００１２】
その効果を詳述すると、湿度センサー１２取付箇所は前記保護管５とランプベース７とに設けた隙間９と連通していることにより、保護管５が割れて、ひび等が入った場合には、そのひび箇所より浴水が浸入し、浴水は、前記保護管５と前記ランプベース７との隙間９を介して湿度センサー１２に達して、直ぐに湿度センサー１２をＯＮさせ、前記循環ポンプＰの駆動を停止させる。したがって、湿度センサー１２の検知性能がアップし、保護管５が割れたにもかかわらず検知できなかったということがなくなるのみならず、保護管５を構成するガラス片が浴槽２０内に流出するおそれを確実に防止できる最大の利点がある。さらに、直ぐに湿度センサー１２が動作することで、従来危険視されていた感電事故のおそれも生ぜず安全対策上良好にできる。さらに、本発明では、構造が単純で安価に提供できる。
【００１３】
請求項２の発明においては、その隙間及び微小隙間とを介して確実に浴水が浸入し、保護管５が割れた略瞬間に湿度センサー１２をＯＮして循環ポンプＰの駆動を停止させることができ、保護管５割れによる危険性を回避でき、請求項１と同等の効果を奏する。即ち、本発明では、保護管５割れの際に、保護管５からの湿度センサー１２までの確実な水の通り道なる隙間及び微小隙間を確保してポンプ圧によって吹き出してきた浴水を瞬時に湿度センサー１２にて検知でき、安全性を格段と向上させ得る。
【図面の簡単な説明】
【図１】本発明の概略図
【図２】（Ａ）は本発明の一部断面とした要部正面図
（Ｂ）は（Ａ）の要部拡大断面図
【図３】（Ａ）はＵＶランプ付きランプベースの正面図
（Ｂ）は（Ａ）の要部斜視図
【図４】（Ａ）ランプベース要部の断面図
（Ｂ）はＵＶランプ付きランプベースの底面図
（Ｃ）はランプベースの平面図
【符号の説明】
３…殺菌ユニット
４…ＵＶランプ
５…保護管
６…回路体収納ケース
７…ランプベース
７ａ…回路体
７ｂ…下部取付体
８…保護管ベース
９，１０…隙間
１１…微小隙間
１２…湿度センサー
【図１】
0004233146.tif 000002
【図２】
0004233146.tif 000003
【図３】
0004233146.tif 000004
【図４】
0004233146.tif 000005